(57)【特許請求の範囲】
【請求項１】
テント、仮設倉庫等の仮設建造物の屋根、運搬車、工事中の建造物の雨避け等として用いる折り畳み可能な屋根であって、
ゴム被覆布を所定形状に裁断した上面布３と上面布より伸びにくい下面布４を対向させて周縁部を接着し、袋状に形成されており、下面布４に用いる基布が、上面布３に用いる基布よりも、（ｉ）成織する糸に定荷重伸張率が小さい、（ｉｉ）糸の太さと基布の幅２．５ｃｍ当たりの糸の打ち込み本数で定義されるエンド数との積で表される糸使用量が多い、（ｉｉｉ）糸の長さ１０ｃｍ当たりの撚数とデニールで表した繊度の平方根との積で定義される撚係数を小さくして撚の螺旋構造のピッチ数が少ない、または、（ｉｖ）枚数が多い、基布のいずれか単独又は併用してなることを特徴とする膨脹式屋根。
【請求項２】
前記上面布３の実面積が投影面積より大であって、投影の形状と下面布４の形状が実質同形である請求項１記載の膨脹式屋根。
【請求項３】
前記上面布３と下面布４の接着部分を跨いで内面にＶテープが貼着されていることを特徴とする請求項１又は２記載の膨張式屋根。
【請求項４】
前記袋状に形成された屋根本体の下面の外周部に設けられた内圧充填時に円筒形となるようにゴム被覆布が成形されたフレーム気室を有することを特徴とする請求項１〜３いずれかに記載の膨張式屋根。
【発明の詳細な説明】
【０００１】
【発明の属する技術分野】
本発明は、テント、仮設倉庫などの仮設建造物の屋根、運搬車、工事中の建造物の雨避けなどとして用いる折り畳み可能な屋根に関する。
【０００２】
【従来の技術】
任意の場所に適宜移動して短期間使用されることを目的にするテント、仮設倉庫などの仮設建造物は、運搬が容易であるとともにに設営または解体が簡単に短時間で行えるように、屋根がパイプ材などでなる多数の支柱の間にパイプなどでなる梁を架設した骨組みに天幕を張り渡した構造、あるいは特開平２−２１３６７、同４−２１３６７０が提案する支柱と梁が一体になった倒立Ｕ字形のエアチューブの間に天幕を張り渡した構造になっていた。梁間に張り渡された天幕は、設営直後緊張しているが、やがて骨組の組み立て時の残留応力による変形、天幕の自重による伸びなどが原因して弛み、梁の間に垂れ下がりが生じる。垂れ下がり部分に雨水が溜まれば、重心が高くなって風に対する安定性が悪くなり、また天幕が風に煽られて溜まった雨水が突然落下し、周囲に居る人などを濡らすことがあった。また、骨組みの屋根部は多数の部材が結合されてなるので、設営、解体に長い時間を要した。
【０００３】
【発明が解決しようとする課題】
本発明は、雨水が溜まる垂れ下がり問題が解消された仮設建造物に用いる屋根あるいは運搬車、工事中の建造物などの雨避けとして用いられる屋根の提供を目的にしたものである。
【０００４】
【課題を解決するための手段】
天幕の垂れ下がりが生じるのは、自由に撓みうる天幕と剛体の梁との剛性が著しく異なる部材で屋根が形成されたためである。従って、天幕を剛体にして自由に撓め得なくすれば、梁が不要になって天幕の垂れ下がりが解消される。天幕を伸びやすさの異なる２枚の空気不透過性シートが重ねられて周縁部を接着した開口部のない袋状のものに換え、その中に空気を充填して膨脹させれば、シートが緊張して袋状体全体の見掛けの剛性が大きくなり、垂れ下がらないように梁で支える必要がなくなる。上記袋状体の伸びやすいシート側を上にして骨組みに冠着し、空気を充填すれば両シートは緊張して見掛けの剛性が大きくなり、撓みにくくなるとともに、上になっている伸びやすいシート側が他方側より大きく膨出してドーム状にり、雨水が流下する傾斜面を形成し、雨水が溜まることがなくなる。解体して運搬するときは空気を抜いて折り畳めばよい。
【０００５】
すなわち、本発明は、テント、仮設倉庫などの仮設建造物の屋根、運搬車、工事中の建造物の雨避けなどとして用いる折り畳み可能な仮設の屋根であって、ゴム被覆布を所定形状に裁断した上面布と上面布より伸びにくい下面布が対向配置して両者の縁部を全周に亘って接着し、開口部のない袋状に成形されており、下面布４に用いる基布が、上面布３に用いる基布よりも、(ｉ)成織する糸に定荷重伸張率が小さい、（ｉｉ）糸の太さと基布の幅２．５ｃｍ当たりの糸の打ち込み本数で定義されるエンド数との積で表される糸使用量が多い、（ｉｉｉ）糸の長さ１０ｃｍ当たりの撚数とデニールで表した繊度の平方根との積で定義される撚係数を小さくして撚の螺旋構造のピッチ数が少ない、または、（ｉｖ）枚数が多い、基布のいずれか単独又は併用してなることを特徴とする膨脹式屋根である。
【０００６】
【発明の実施の形態】
つぎに、本発明の実施形態を説明する。
図１は、本発明の一実施形態にかかわる膨脹式屋根の断面図である。本発明の膨脹式屋根１は、本体２が基布にゴム被覆したゴム被覆布を所定形状に裁断してなる上面布３と上面布より定荷重伸が小さいゴム被覆布を所定形状に裁断してなる下面布４を対向配置して両者の周縁部をの全周に亘って接着した袋状の気室でなることを主構成にし、さらに、上面布及び下面布の一方または両方に本体内に空気を充填するとき空気源に接続するバルブ６、本体２を骨組みあるいは仮設建造物の側壁に固定する手段、例えば図１に図示するスカート８が設けられる。
【０００７】
上面布及び下面布には、基布の片面または両面をゴム被覆して空気不透過性にしたものが用いられる。下面布の糊代及び成型時の変形の補正代を除いた部分の裁断実質形状（以下、本文中における形状は、糊代及び成型時の変形の補正代を除いた実質部分の形状を表す）は、上面布の膨出を小さくするときには上面布より伸びにくいゴム被覆布を用いて同形にされ、膨出を大きくするときには上面布より伸びにくいゴム被覆布を用いて上面布より小さくされる。下面布を上面布より伸びにくくするには、次に述べる方法のいずれかが単独または併用して行われる。すなわち、上面布に用いる基布と比較して、▲１▼基布を成織する糸に定荷重伸張率が小さいものを使用する。▲２▼糸の太さと基布の幅２．５cm当たりの糸の打ち込み本数で定義されるエンド数との積で表される糸使用量を多くする。▲３▼糸の長さ１０cm当たりの撚数とデニールで表した繊度の平方根との積で定義される撚係数を小さくして撚の螺旋構造のピッチ数を少なくする。また、下面布の基布の枚数を上面布より多くして下面布を伸びにくくすることもできる。
【０００８】
【実施例】
つぎに図面を参照して本発明の膨脹式屋根を詳説する。
実施例１
図１は本発明の膨脹式屋根の断面図、図２は本発明の膨脹式屋根をテントに用いた状態を表す一部欠截斜視図である。図１に示す膨脹式屋根１は、３５デニールのナイロンストランドの２本を撚係数２９２８（撚数350t／10cm) で撚合わせた糸を経緯とも５０本のエンド数で成織した基布の両面にゴム被覆して長方形に裁断した上面布３と、２１０デニールのナイロンストランド２本を撚係数１６４０（撚数80) で撚合わせた糸で経緯ともエンド数４０で成織した基布にゴム被覆して上面布と同形状に裁断した下面布４とを対向配置し、両者の周縁部５を接着してなる袋状気室の本体２を備え、本体２の周囲に屋根１を屋根の支持体に固定する手段（図示せず）を備えたスカート８が設けられている。本体２に内圧空気を充填するバルブ６が下面布４に設けられている。上面布３と下面布４の接着部分は剥離されやすい構造になっているので、接着部を跨いで内面にＶテープ７が貼着されて補強される。
【０００９】
本発明の膨脹式屋根１（以下、膨脹式屋根を単に屋根と言う）をテントに用いた１例を図２に従って説明する。複数の支柱９間にパイプ１０を架設した骨組み１１に屋根１のスカート８を嵌めて本体２を着脱自由に冠着し、バルブ６を介して本体に内圧空気を充填して上面布３を膨出させ、屋根１をドーム形状にする。好ましくは、内圧を漸増して下面布が膨出し始めたと目視で認識したときのドームの高さ、言い換えれば下面布４から上面布３までの高さＨが屋根の長さＬの１／１０〜１／３になるように、予め定荷重伸びを調整した上面布及び下面布で本体が形成される。下面布が膨出し始めたときの高さＨが、屋根長さＬの１／１０より低い場合には、雨水の流下効率が悪いので、高さＨをさらに高くしょうとして内圧を上げれば下面布も大きく膨出し、テント内の人に天井が垂れ下がって見え、居心地が悪くなる。１／３より高い場合には、風の当たる力が大きくなって変形しやすくなるので、変形しないようにさらに内圧を高くせねばならず、そのために材料使用量を多くして強度を大にする必要があり、コストが高くなる。
【００１０】
実施例２
工場などで部品、半製品などの運搬に建屋の内外で使用され、容器に車輪を取り付けた構造を有し、平時はカバーをしないが、雨天時のみカバーがされる運搬車のカバーに本発明の屋根を用いた例を図３に示す。カバー１２は、ゴム被覆布を長方形に裁断した下面布４と下面布より定荷重伸びが大きいゴム被覆布を裁断した上面布３が対向配置して両者の周縁部５が接着された袋状気室の本体２と、本体２の下面の外周部に設けられた内圧充填時円筒形になるようにゴム被覆布が成形されたフレーム気室１５でなる。、カバー１２は、平時折り畳んでバッグに収容して運搬車に積載しておき、使用するときは、上面布３に設けたバルブ６から本体２とフレーム気室１５の内部に空気を充填して膨脹させるとともに剛性を大きくする。膨脹されたカバー１２が運搬車１３に冠着される。フレーム気室１５は、内圧充填時の内寸を運搬車１３の側壁１４の外寸より若干小さくして、運搬車１３の外側に嵌めらたとき拡張するように変形し、変形の反力でカバー１２が側壁１４を締め付けて外れにくくするようにされている。
【００１１】
実施例３
雪寒地に設営される円形の居住用テントに用いる他の実施例の屋根の説明をする。本体２は、ゴム被覆布を中心角αが５５°の扇形に裁断した図４に示す形状の裁断片２１の６つを直線部分２２で相互に接合して垂直方向の投影が２点鎖線で示される円錐形状に成形した上面布３と、上面布より伸びにくいゴム被覆布を上面布３の投影と同形状に裁断した下面布４とを対向配置して両面布の周縁を全周に亘って接着し、袋状に成形した気室でなる。屋根１は、テントの各気室に空気を充填したときの断面を表す図５に示すように、本体２の下面の周縁部にゴム被覆布でなる環形状のフレーム気室１５が設けられ、下面布３に用いたゴム被覆布を２枚重合した天井布２３がフレーム気室１５の下部に張り渡されて天井気室２４が形成される。天井気室２４及び本体２のそれぞれに空気を充填するバルブ６が設けられ、本体２と天井気室２４を連通する逆止弁２５が下面布に設けられ、テントを使用している途中で、夜間などに温度が降下して本体２内の空気が収縮し、内圧が低下したとき、逆止弁２５を介して天井気室２４から自動的に空気が補充されるようにされている。上記の屋根１を多数の環状気室２６を並列結合した構造の側壁２７に固定して居住用テントが設営される。
【００１２】
本発明の膨脹式屋根は、本体が上面布と上面布より伸びにくい下面布を対向させて周縁部を接着して袋状気室にされる要件を満たせば、上記実施例以外に、本体の外側に光反射板を取り付ける空気室などを設けることができ、仮設倉庫、工事中の建造物の雨避け、仮置きした物品の雨避けなどに形状を変えて自由に用いることができ、屋根が取り付けられる物体への固定方法も限定されない。また、内圧を充填したときの下面布の膨出を可及的に小さくする必要がある場合は、下面布に補強布を貼着して伸びを小さくしたり、上面布をまちが設けられた２〜６枚の裁断片を接合して形成し、面積を下面布より大きくし、低い内圧で容易に膨出するようにすることもできる。
【００１３】
【発明の効果】
テント、仮設倉庫などの仮設建造物の屋根、運搬車、工事中の建造物の雨避けなどとして用いられる天幕を、ゴム被覆布を所定形状に裁断した上面布と上面布より伸びにくい下面布とを対向させて周縁部を接着し、袋状に形成した膨脹式屋根に換えることにより、天幕の屋根に見られた屋根が垂れ下がって雨水が溜まり、屋根の重心が高くなって風に煽られたり、溜まった雨水が突然落下したりすることがなくなるとともに設営に当たっては、折り畳まれていた屋根を広げて骨組みに固定し、内圧空気を充填するだけですみ、骨組みに梁を設ける必要がなくなって設営、解体がさらに短時間で行えるようになる。
【図面の簡単な説明】
【図１】本発明の膨脹式屋根の断面図である。
【図２】本発明の膨脹式屋根をテントに用いた状態を表す一部欠截斜視図である。
【図３】本発明の膨脹式屋根を運搬車の雨避けカバーとして用いた状態を表す断面図である。
【図４】図５に示すテントの屋根に用いるゴム被覆布裁断片の形状を示す図である。
【図５】本発明の膨脹式屋根を雪寒地に設営されるテントに使用した状態を表す断面図である。
【符号の説明】
２    本体
３    上面布
４    下面布
５    周縁部
【図１】
0003891521.tif 000002
【図２】
0003891521.tif 000003
【図３】
0003891521.tif 000004
【図４】
0003891521.tif 000005
【図５】
0003891521.tif 000006